(57)【特許請求の範囲】
【請求項１】
貯蔵室と、前記貯蔵室を開閉するための、第１の扉と第２の扉とで構成される観音開き式の扉とを備える冷蔵庫であって、前記観音開き式の扉が閉じているときに前記貯蔵室の気密を維持する回転仕切体と、前記観音開き式の扉が閉じているときに前記回転仕切体に密着する第１の密着部とが前記第１の扉に設けられ、前記観音開き式の扉が閉じているときに前記回転仕切体に密着する第２の密着部が前記第２の扉に設けられ、前記回転仕切体と前記第１の密着部との密着力は、前記回転仕切体と前記第２の密着部との密着力より小さいことを特徴とする冷蔵庫。
【発明の詳細な説明】
【技術分野】
【０００１】
本発明は冷蔵庫に関し、特にその観音開き式の扉構成に関するものである。
【背景技術】
【０００２】
一般に冷蔵庫は冷蔵室、野菜室、冷凍室等の貯蔵室を有し、前記貯蔵室の一つ、例えば冷蔵室は観音開き式の扉となっている。この観音開き式の扉は、左右一対の扉（以下、第一の扉および第二の扉と称す）のいずれか一方の扉、例えば第一の扉にこれと連動して回転する回転仕切体が設けてあり、この回転仕切体が扉閉成時には前記第一の扉及び第二の扉の内面のマグネットパッキンに密着して冷蔵室の気密を確保するようになっている（例えば、特許文献１参照）。
【０００３】
図７は上記特許文献１記載の冷蔵庫における観音開き式の扉を示し、その観音開き式扉は、第一の扉１０１及び第二の扉１０２のいずれか一方、この図では左側の第一の扉１０１の端部内面に回転仕切体１０３が設けてあり、この回転仕切体１０３が扉閉成時に前記第一の扉１０１及び第二の扉１０２の内面外周に装着してあるマグネットパッキン１０４のマグネットに吸引される形でこれと密着し冷蔵室１０５の気密を確保している。
【０００４】
これにより、第一の扉１０１と第二の扉１０２の突合せ端部に生じる隙間１０６は前記マグネットパッキン１０４と回転仕切体１０３との密着によってシールされ、冷蔵室１０５内は気密を保たれる。
【先行技術文献】
【特許文献】
【０００５】
【特許文献１】特開２０１１−１１２２９０号公報
【発明の概要】
【発明が解決しようとする課題】
【０００６】
しかしながら、上記従来の観音開き式扉では、回転仕切体１０３を設けた第一の扉１０１を開くのに第二の扉１０２を開く時よりも大きくな力を必要とし、第一、第二の扉を開くときの感じが異なってユーザに違和感を与える、という課題があった。
【０００７】
すなわち、第一の扉１０１はこれに設けられている回転仕切体１０３がコイルバネ等の反転バネ１０７によって扉閉成時には矢印ａようにマグネットパッキン１０４側に附勢され、扉開成時には矢印ｂのように扉棚壁面１０８側に附勢されるようになっている。そして、第一の扉１０１側には、その扉開成時、冷蔵室１０５の開口上部に設けられているガイド（図示せず）が回転仕切体１０３を反転バネ１０７の附勢力に抗し矢印ｂの方向に回転させるための力が加わる。そのため第一の扉１０１を開くときの方が第二の扉１０２を開くときよりも大きな力を必要とする。
【０００８】
その結果、前記第一の扉１０１を開く力が第二の扉１０２を開くときの力よりも大きなものとなり、ユーザに違和感を与えるのであった。
【０００９】
本発明はこのような点に鑑みてなしたもので、第一、第二の扉を開くときの力がほぼ同じになるようすることを目的としたものである。
【課題を解決するための手段】
【００１０】
本発明の冷蔵庫は、上記目的を達成するため、貯蔵室と、前記貯蔵室を開閉するための、第１の扉と第２の扉とで構成される観音開き式の扉とを備える冷蔵庫であって、前記観音開き式の扉が閉じているときに前記貯蔵室の気密を維持する回転仕切体と、前記観音開き式の扉が閉じているときに前記回転仕切体に密着する第１の密着部とが前記第１の扉に設けられ、前記観音開き式の扉が閉じているときに前記回転仕切体に密着する第２の密着部が前記第２の扉に設けられ、前記回転仕切体と前記第１の密着部との密着力は、前記回転仕切体と前記第２の密着部との密着力より小さいことを特徴とする。
【発明の効果】
【００１２】
本発明は、上記構成により、観音開き式扉の左右の扉を開く力をほぼ同じにすることができる。
【図面の簡単な説明】
【００１３】
【図１】本発明の実施の形態１における冷蔵庫の正面図
【図２】同実施の形態１における冷蔵庫の概略断面図
【図３】同実施の形態１における冷蔵庫の観音開き式扉の要部概略断面図
【図４】（ａ）同実施の形態１における観音開き式扉の回転仕切体を前側から見た斜視図、（ｂ）同回転仕切体を内側から見た斜視図
【図５】同実施の形態１における冷蔵庫の観音開き式扉の要部拡大断面図
【図６】同実施の形態２における冷蔵庫の観音開き式扉の要部拡大断面図
【図７】従来の冷蔵庫の観音開き式扉部分を示す拡大断面図
【発明を実施するための形態】
【００１４】
第１の発明は、冷蔵庫本体と、前記冷蔵庫本体の貯蔵室を開閉する観音開き式の第一の扉及び第二の扉と、前記第一の扉及び第二の扉の内面外周部に設けたマグネットパッキンと、前記第一の扉もしくは前記第二の扉のいずれかに連動して回転し、前記第一の扉及び第二の扉のマグネットパッキンと密着して貯蔵室の気密を維持する回転仕切体とを備え、前記回転仕切体と第一及び第二の扉との密着力は、回転仕切体を設けた側の扉と回転仕切体との密着力が、回転仕切体を設けていない側の扉と回転仕切板との密着力より小さくなるように設定した構成としてある。
【００１５】
これにより、仕切体を設けた側の扉は、密着力を小さくした分、扉開成時に加わる回転仕切体を回転させる力を相殺することができ、回転仕切体を設けていない側の扉を開くときの力とほぼ同じ大きさとすることができる。したがって、第一、第二の扉を開くときユーザに違和感を与えるようなことを抑制できる。
【００１６】
第２の発明は、第１の発明において、前記第一、第二の扉に設けたマグネットパッキンは、回転仕切体を有する扉側のマグネットパッキンの磁力が、回転仕切体を設けていない側の扉のマグネットパッキンの磁力よりも小さくなるように設定して、回転仕切体を設けた側の扉と回転仕切体との密着力が、回転仕切体を設けていない側の扉と回転仕切板との密着力より小さくなる構成としてある。
【００１７】
これにより、磁力の異なるマグネットパッキンを第一、第二の扉に装着するだけで第一、第二の扉を開く力をほぼ同じとすることができ、簡単な構成で信頼性を向上させることができる。
【００１８】
また、第３の発明は、第１の発明において、前記回転仕切体はその表面を樹脂化するとともに、内部に第一、第二の扉の各マグネットパッキンと対応する仕切体マグネットを設け、この各仕切体マグネットの磁力の強さを変えて、回転仕切体を設けた側の扉と回転仕切体との密着力が、回転仕切体を設けていない側の扉と回転仕切板との密着力より小さくなる構成としてある。
【００１９】
これにより、回転仕切体の表面が樹脂製のものであっても第一、第二の扉を開く力をほぼ同じとすることができ、簡単な構成で信頼性を向上させることができるとともに、回転仕切体の表面を樹脂化したことによりその表面で結露が発生するのを抑制することもでき、結露防止用ヒータ等の設置を不要または簡略化して省エネ化を進めることもできる。
【００２０】
更に、第４の発明は、第１の発明において、前記回転仕切体はその表面を樹脂化するとともに、その内部に第一、第二の扉の各マグネットパッキンと対応する仕切体マグネットを設け、前記各仕切体マグネットと対向する前記回転仕切体表面の樹脂厚を変えて、回転仕切体を設けた側の扉と回転仕切体との密着力が、回転仕切体を設けていない側の扉と回転仕切体との密着力より小さくなる構成とした構成としてある。
【００２１】
これにより、回転仕切体の表面が樹脂製のものであってもその樹脂厚を変えるだけで第一、第二の扉を開く力をほぼ同じとすることができ、簡単な構成で信頼性を向上させることができるとともに、前記第３の発明と同様回転仕切体の表面を樹脂化したことによりその表面で結露が発生するのを抑制することもでき、結露防止用ヒータ等の設置を不要または簡略化して省エネ化を進めることもできる。
【００２２】
以下、本発明の実施の形態について、図面を参照しながら説明する。なお、この実施の形態によって発明が限定されるものではない。
【００２３】
（実施の形態１）
図１は本発明の実施の形態１における冷蔵庫の正面図、図２は同実施の形態１における冷蔵庫の概略断面図、図３は同実施の形態１における冷蔵庫の観音開き式扉の要部概略断面図、図４（ａ）（ｂ）は同実施の形態１における観音開き式扉の回転仕切体を示す斜視図、図５は同実施の形態１における冷蔵庫の観音開き式扉の要部拡大断面図である。
【００２４】
図において、この冷蔵庫はその冷蔵庫本体１内を仕切部材２、３，４により複数の貯蔵室に区画し、最上部を冷蔵室５、その下方を引出しタイプの製氷室６、切換室７、冷凍室８、野菜室９としてある。そして前記各室には扉が設けてあり、冷蔵室５の扉は回転式の第一の扉１１Ａ及び第二の扉１１Ｂからなる観音開き式の扉となっている。なお、前記製氷室６、切換室７、冷凍室８、野菜室９の各扉１２、１３、１４、１５は引出式の扉となっている。
【００２５】
上記冷蔵室５の観音式扉となる第一の扉１１Ａ、第二の扉１１Ｂは、図３、図５に示すように、いずれか一方、この例では左側の第一の扉１１Ａに回転仕切体１６が設けてあり、扉閉成時に前記第一の扉１１Ａ及び第二の扉１１Ｂの内面外周部に設けたマグネットパッキン１７に密着して冷蔵室５の気密を保つように構成してある。なお、マグネットパッキン１７は周知の如くマグネット１７Ａ、１７Ｂを内蔵した袋状のパッキンである。
【００２６】
上記回転仕切体１６は、図５に示すように、その上下部分をヒンジ部材１８によって第一の扉１１Ａの端部に枢支してあり、断面略コ字状の前板１９と後板２０とを嵌め合わせ結合してその内部空間に断熱材２２を設けて構成し、第一の扉１１Ａに取付けたヒンジ部材１８との間にコイルばねからなる反転バネ２３を懸架してある。これにより、回転仕切体１６は第一の扉１１Ａの閉成時は第一の扉１１Ａおよび第二の扉１１Ｂの内面外周部に
設けたマグネットパッキン１７に密着する方向に附勢され、第一の扉１１Ａの開成時には第一の扉１１Ａの内側、すなわち棚板側壁面２１側に附勢されるようになっている。
【００２７】
また、上記回転仕切体１６の前板１９は磁性体金属で形成してあり、前記マグネットパッキン１７のマグネット１７Ａ、１７Ｂに吸着されるようになっている。
【００２８】
そして、前記マグネットパッキン１７のマグネット１７Ａ、１７Ｂの磁力は、回転仕切体１６を設けた第一の扉１１Ａ側のマグネット１７Ａの磁力が、他方、すなわち回転仕切体１６が設けられていない第二の扉１１Ｂ側のマグネット１７Ｂの磁力よりも小さくなるように設定してある。
【００２９】
すなわち、回転仕切体１６を設けた側の第一の扉１１Ａと回転仕切体１６との密着力が、回転仕切体１６を設けていない側の第二の扉１１Ｂと回転仕切体１６との密着力より小さくなるように設定してある。
【００３０】
以上のように構成された冷蔵庫についてその扉の作用効果を説明する。
【００３１】
冷蔵室５を開閉する第一の扉１１Ａおよび第二の扉１１Ｂは、閉成時、第一の扉１１Ａに設けた回転仕切体１６が反転バネ２３に附勢されて図５に示すように第一の扉１１Ａおよび第二の扉１１Ｂの内面に沿う如く位置し、第一の扉１１Ａおよび第二の扉１１Ｂに設けたマグネットパッキン１７のマグネット１７Ａ、１７Ｂが回転仕切体１６の前板１９に吸着して冷蔵室５の気密を保持している。
【００３２】
そしてこの状態で第一の扉１１Ａおよび第二の扉１１Ｂを開くときには、回転仕切体１６の前板１９に吸着している各扉のマグネットパッキン１７のマグネット１７Ａ、１７Ｂの吸着力に抗して第一の扉１１Ａ或いは第二の扉１１Ｂを手前側に引くことになる。
【００３３】
このとき第一の扉１１Ａ側には、その扉開成時、冷蔵室５の開口上部に設けられているガイド（図示せず）が回転仕切体１６を反転バネ２３の附勢力に抗し図５の矢印ｂ方向に回転させるための力が加わる。そのため第一の扉１１Ａを開くときの方が第二の扉１１Ｂを開くときよりも大きな力を必要とし、重く感じる。
【００３４】
しかしながらこの観音開き式扉の場合、前記第一の扉１１Ａのマグネットパッキン１７のマグネット１７Ａの磁力は、第二の扉１１Ｂのマグネットパッキン１７のマグネット１７Ｂの磁力よりも小さく設定してあるので、その分前記第一の扉１１Ａに加わる回転仕切体１６を回転させる力を相殺することができる。換言すると、前記回転仕切体１６を回転させるときに加わる力があっても第一の扉１１Ａを開く力は、マグネットパッキン１７のマグネット１７Ａ磁力を小さく設定したことによって前記第二の扉１１Ｂのマグネットパッキン１７のマグネット１７Ｂ磁力とほぼ同じ程度とすることができる。
【００３５】
従って、ユーザが感じる第一の扉１１Ａを開くときの力と第二の扉１１Ｂを開くときの力との差を抑制することができ、信頼性の高い冷蔵庫とすることができる。
【００３６】
（実施の形態２）
図６は実施の形態２における観音開き式扉の要部断面図である。
【００３７】
この実施の形態の回転仕切体１６は少なくとも前板１９をＡＢＳ等の樹脂板で構成し、内部には仕切体マグネット２４Ａ、２４Ｂを組み込んで構成してある。
【００３８】
前記仕切体マグネット２４Ａ、２４Ｂは前記第一の扉１１Ａおよび第二の扉１１Ｂに装
着されているマグネットパッキン１７のマグネット１７Ａ、１７Ｂと対向する部分に組み込んであり、互いに吸着し合うように磁極が設定してある。そして、前記第一の扉１１Ａ側の仕切体マグネット２４Ａの磁力を、第二の扉１１Ｂ側の仕切体マグネット２４Ｂの磁力よりも小さく設定して、回転仕切体１６を設けた側の第一の扉１１Ａと回転仕切体１６との密着力が、回転仕切体１６を設けていない側の第二の扉１１Ｂと回転仕切体１６との密着力より小さくなるように設定してある。
【００３９】
その他の構成は実施の形態１と同様であり、同一番号を附記して説明は省略する。
【００４０】
以上のように構成した観音開き式扉は、前記第一の扉１１Ａ側の仕切体マグネット２４Ａの磁力を第二の扉１１Ｂ側の仕切体マグネット２４Ｂのマグネット磁力よりも小さく設定してあるので、前記実施の形態１と同様、第一の扉１１Ａ側に回転仕切体１６を回転させるための力が加わっても第一の扉１１Ａを開く力は、前記第二の扉１１Ｂを開く力とほぼ同じ程度とすることができる。
【００４１】
従って、ユーザが感じる第一の扉１１Ａを開くときの力と第二の扉１１Ｂを開くときの力との差を抑制することができ、信頼性の高い冷蔵庫とすることができる。
【００４２】
また、この実施の形態の構成によれば、回転仕切体１６の前板１９を熱伝熱性の悪い樹脂板で構成しているから、その表面に結露が発生しにくくなる、したがって、回転仕切体１６の前板１９を金属製にしているときのような結露防止用ヒータを回転仕切体１６内に設けて時々通電させるような必要が不要または簡略化でき、省エネ性を向上させることができる。また、構成の簡素化も実現できる。
【００４３】
なお、この実施の形態において第一の扉１１Ａ側の仕切体マグネット２４Ａの磁力を第二の扉１１Ｂ側の仕切体マグネット２４Ｂの磁力よりも小さく設定して、回転仕切体１６を設けた側の第一の扉１１Ａと回転仕切体１６との密着力が、回転仕切体１６を設けていない側の第二の扉１１Ｂと回転仕切体１６との密着力より小さくなるように設定したが、これは次のようにして行ってもよいものであり、特に限定されるものではない。
【００４４】
すなわち、前記仕切体マグネット２４Ａ、２４Ｂのマグネット磁力ではなく第一の扉１１Ａに設けたマグネットパッキン１７のマグネット１７Ａ磁力を、第二の扉１１Ｂに設けたマグネットパッキン１７のマグネット１７Ｂ磁力より小さく設定してもよい。あるいは第一の扉１１Ａ側の仕切体マグネット２４Ａのマグネット磁力を第二の扉１１Ｂのマグネットパッキン１７のマグネット磁力よりも小さくする、或いは第一の扉１１Ａ側のマグネットパッキン１７のマグネット１７Ａ磁力を第二の扉１１Ｂ側の仕切体マグネット２４Ｂのマグネット磁力よりも小さくする、等々であり、特に限定されるものではない。
【００４５】
（実施の形態３）
この実施の形態は実施の形態２の図６を代用して説明するが、回転仕切体１６は実施の形態２と同様、その表面を樹脂化するとともに、その内部に第一、第二の扉の各マグネットパッキン１８と対応する仕切体マグネット２４Ａ、２４Ｂを設けてある。そして、前記各仕切体マグネット２４Ａ、２４Ｂと対向する前記回転仕切体１６の前板１９の樹脂厚を変えて、回転仕切体１６を設けた側の第一の扉１１Ａと回転仕切体１６との密着力が、回転仕切体１６を設けていない側の第二の扉１１Ｂと回転仕切体１６との密着力より小さくなる構成としてある。具体的には、前記仕切体マグネット２４Ａと対向する回転仕切体１６の前板１９の樹脂厚を、仕切体マグネット２４Ｂと対向する回転仕切体１６の前板１９の樹脂厚より厚く形成してある。
【００４６】
これにより、回転仕切体１６の表面が樹脂製のものであってもその樹脂厚を変えるだけ
で第一、第二の扉を開く力をほぼ同じとすることができ、簡単な構成で信頼性を向上させることができる。また、前記第２の実施の形態と同様回転仕切体１６の表面を樹脂化したことによりその表面で結露が発生するのを抑制することもでき、結露防止用ヒータ等の設置を不要または簡略化して省エネ化を進めることもできる。そして、前板１９の樹脂厚を変えるだけであるから、磁力の異なるマグネットを用いる場合に比べ安価に提供することができる。
【００４７】
以上、本発明に係る冷蔵庫について、上記各実施の形態を用いて説明してきたが、本発明は、これに限定されるものではなく、本発明の目的を達成する範囲内で種々変更可能であることは言うまでもない。すなわち、今回開示した実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００４８】
以上のように本発明にかかる冷蔵庫は、観音開き式扉の左右の扉の開き力をほぼ同じにして扉開き時にユーザに与える違和感を抑制でき、信頼性の高い冷蔵庫とすることができる。よって、家庭用はもちろん業務用冷蔵庫やショーケース等多くの用途に幅広く適用することができる。
【符号の説明】
【００４９】
１  冷蔵庫本体
２、３、４  仕切部材
５  冷蔵室
６  製氷室
７  切換室
８  冷凍室
９  野菜室
１１Ａ  第一の扉
１１Ｂ  第二の扉
１２、１３、１４、１５  扉
１６  回転仕切体
１７  マグネットパッキン
１７Ａ、１７Ｂ  マグネット
１９  前板
２０  後板
２１  棚板側壁面
２２  断熱材
２３  反転バネ
２４Ａ、２４Ｂ  仕切体マグネット
【図１】
0006613448.tif 000002
【図２】
0006613448.tif 000003
【図３】
0006613448.tif 000004
【図４】
0006613448.tif 000005
【図５】
0006613448.tif 000006
【図６】
0006613448.tif 000007
【図７】
0006613448.tif 000008